(57)【要約】      （修正有）【課題】建築物の簡単な補修作業を専門作業者以外の者でも簡単に行えるようにし、特に災害時の応急処置として実用性の高い補修キットを提供する。【解決手段】建築物のひび割れ補修、断面修復補修、止水用補修、養生などの補修作業に必要な補修資材、補修工具、及び補修作業の手順案内手段を、可搬型収納ボックス内に収納して補修キット構成する。そして、公共施設５から受付センター６に対して設置リクエストが発信され、受付センターによりリクエストが受け付けられると、受付センターから有償にてリクエスト元である公共施設に所定の補修キットが配送され、公共施設の建築物に補修キットが設置される。【選択図】図３
0003226211.tif 000002
【実用新案登録請求の範囲】
【請求項１】
建築物の補修作業に使用する建築物の補修キットであって、
キャスタ付きの可搬型収納ボックスと、
前記収納ボックス内に収納され前記補修作業に使用するために予め選定された複数の補修資材と、
前記収納ボックス内に収納され前記補修作業に使用するために予め選定された複数の補修工具と、
前記収納ボックスに収納され前記補修作業の手順を案内する案内手段と
を備え、
前記収納ボックスは、
受付センターが学校、病院、体育館、役所、避難所などの公共施設からの設置リクエストを受け付けると、前記受付センターから有償にて当該公共施設の建築物に搬送されて当該建築物内に設置されることを特徴とする建築物の補修キット。
【請求項２】
建築物の補修作業に使用する建築物の補修キットであって、
キャスタ付きの可搬型収納ボックスと、
前記収納ボックス内に収納され前記補修作業に使用するために予め選定された複数の補修資材と、
前記収納ボックス内に収納され前記補修作業に使用するために予め選定された複数の補修工具と、
前記収納ボックスに収納され前記補修作業の手順を案内する案内手段と
を備え、
前記収納ボックスは、
受付センターが一般企業、個人事業者などの民間施設からの設置リクエストを受け付けたときに、前記受付センターから有償にて当該民間施設の建築物に搬送されて当該建築物内に設置されることを特徴とする建築物の補修キット。
【請求項３】
前記受付センターは、前記公共施設から前記収納ボックス内の複数の前記補修資材および複数の前記補修工具のうちいずれかについて、補充および／または交換のリクエストを受け付けると、有償にて補充および／または交換のリクエスト対象の前記補修資材、前記補修工具を当該公共施設に搬送することを特徴とする請求項１に記載の建築物の補修キット。
【請求項４】
前記受付センターは、前記民間施設から前記収納ボックス内の複数の前記補修資材および複数の前記補修工具のうちいずれかについて、補充および／または交換のリクエストを受け付けると、有償にて補充および／または交換のリクエスト対象の前記補修資材、前記補修工具を当該民間施設に搬送することを特徴とする請求項２に記載の建築物の補修キット。
【請求項５】
前記収納ボックスには、複数の前記補修資材および複数の前記補修工具の取扱案内手段が収納されていることを特徴とする請求項１ないし４のいずれか１項に記載の建築物の補修キット。
【請求項６】
前記収納ボックスの設置期限は、前記補修資材の品質有効期間に基づき設定されていることを特徴とする請求項１ないし５のいずれか１項に記載の建築物の補修キット。
【請求項７】
前記受付センターは、当該収納ボックスを搬送した搬送先における前記設置期限を管理することを特徴とする請求項６に記載の建築物の補修キット。
【考案の詳細な説明】
【技術分野】
【０００１】
この考案は、建築物のひび割れ補修、断面修復補修、止水用補修、養生などの補修作業に使用する建築物の補修キットに関する。
【背景技術】
【０００２】
学校、病院、体育館、役所、避難所などの公共施設や、一般企業、個人事業者などの民間施設が所有するコンクリート建築物をはじめとする建築物に、ひび割れ補修、断面修復補修、止水用補修、養生といった補修作業を行う必要が生じた場合、例えば特許文献１に記載のように、コンクリート建築物の補修部分をはつり、はつり部分にモルタルを塗布するなどの補修が施される。
【先行技術文献】
【特許文献】
【０００３】
【特許文献１】特開昭６１−２３７７６６号公報（第１ページ右下欄第５行〜第２ページ右下欄第６行）
【考案の概要】
【考案が解決しようとする課題】
【０００４】
しかし、上記した補修作業は従来、専門の作業者に依頼して専門作業者が現場に出向いて補修作業するのが一般的であるため、必要な補修資材や補修工具があれば素人でも補修可能な場合であっても、専門作業者に依頼の上、専門作業者お時間的な都合に合わせなければならず、さらに専門作業者に依頼できないとか補修資材や工具を準備できないなどの理由により、専門作業者に依頼できず、依頼者は大いに不便さを感じることがあった。
【０００５】
この考案は上記課題に鑑みなされたものであり、建築物の簡単な補修作業を専門作業者以外の者でも簡単に行えるようにし、特に災害時の応急処置として実用性の高い補修キットを提供することを目的とする。
【課題を解決するための手段】
【０００６】
上記した目的を達成するために、本考案に係る建築物の補修キットは、建築物の補修作業に使用する建築物の補修キットであって、キャスタ付きの可搬型収納ボックスと、前記収納ボックス内に収納され前記補修作業に使用するために予め選定された複数の補修資材と、前記収納ボックス内に収納され前記補修作業に使用するために予め選定された複数の補修工具と、前記収納ボックスに収納され前記補修作業の手順を案内する案内手段とを備え、前記収納ボックスは、受付センターが学校、病院、体育館、役所、避難所などの公共施設からの設置リクエストを受け付けると、前記受付センターから有償にて当該公共施設の建築物に搬送されて当該建築物内に設置されることを特徴としている。
【０００７】
また、本考案に係る建築物の補修キットは、キャスタ付きの可搬型収納ボックスと、前記収納ボックス内に収納され前記補修作業に使用するために予め選定された複数の補修資材と、前記収納ボックス内に収納され前記補修作業に使用するために予め選定された複数の補修工具と、前記収納ボックスに収納され前記補修作業の手順を案内する案内手段とを備え、前記収納ボックスは、受付センターが一般企業、個人事業者などの民間施設からの設置リクエストを受け付けたときに、前記受付センターから有償にて当該民間施設の建築物に搬送されて当該建築物内に設置されるものであってもよい。
【０００８】
また、前記受付センターは、前記公共施設から前記収納ボックス内の複数の前記補修資材および複数の前記補修工具のうちいずれかについて、補充および／または交換のリクエストを受け付けると、有償にて補充および／または交換のリクエスト対象の前記補修資材、前記補修工具を当該公共施設に搬送するようにするのが好ましく、前記民間施設から前記収納ボックス内の複数の前記補修資材および複数の前記補修工具のうちいずれかについて、補充および／または交換のリクエストを受け付けると、有償にて補充および／または交換のリクエスト対象の前記補修資材、前記補修工具を当該民間施設に搬送するようにしてもよい。
【０００９】
また、前記収納ボックスには、複数の前記補修資材および複数の前記補修工具の取扱案内手段が収納されているとよい。
【００１０】
また、前記収納ボックスの設置期限は、前記補修資材の品質有効期間に基づき設定されているのが好ましい。このとき、前記受付センターは、当該収納ボックスを搬送した搬送先における前記設置期限を管理するとよい。
【考案の効果】
【００１１】
この考案によれば、可搬型収納ボックス内に補修作業に使用するために予め選定された複数の補修資材および補修工具を収納しておき、受付センターが公共施設（或いは民間施設）からの設置リクエストを受け付けると、受付センターから有償にて当該公共施設（或いは民間施設）の建築物に補修キットを配送して当該建築物内に設置するようにしたため、建築物の簡単な補修作業を、専門作業者以外の者でも必要なときに簡単に行うことができ、特に災害により被害を受けた建築物の応急処置に対して非常に有用である。
【図面の簡単な説明】
【００１２】
【図１】本考案に係る建築物の補修キットの一実施形態における収納ボックスの斜視図である。
【図２】図１の収納ボックスの側面図である。
【図３】一実施形態のリクエスト送受システムのブロック図である。
【図４】ある種類の補修キットの説明図である。
【図５】他の種類の補修キットの説明図である。
【図６】一実施形態の動作説明用フローチャートである。
【考案を実施するための形態】
【００１３】
本考案に係る建築物の補修キットの一実施形態について、図１ないし図６を参照して説明する。
【００１４】
図１、図２は可搬型収納ボックス１の外観を示す図であり、収納ボックス１は、例えば外形が直方体状を有し上面が開口したボックス本体１ａと、ボックス本体１ａの開口面を開閉自在に閉塞し閉塞時にロック機構により開放不能にロックされる蓋体１ｂと、ボックス本体１ａを持ち運び可能にするための２個のキャスタ１ｃおよびハンドル１ｄを備えている。
【００１５】
蓋体１ｂは、ボックス本体１ａの上端部の一方の長辺側にヒンジより回転自在に取り付けられ、蓋体１ｂのヒンジと反対側に設けられた２個の係止片２がボックス本体１ａに設けられた突状の被係止部それぞれに係止することで、蓋体１ｂがボックス本体１ａの開口面を開放不能に閉塞した状態に保持される。なお、係止片２を被係止部から係止解除することにより、蓋体１ｂは回転可能になってボックス本体１ａの開口面を開放することができる。
【００１６】
収納ボックス１内には、学校、病院、体育館、役所、避難所などの公共施設におけるコンクリート建築物の補修作業に必要な補修資材および補修工具が収納されて補修キット３が構成されている。ここで、補修作業は、建築作業および土木作業の２つに大きく分けられ、収納ボックス１内に収納すべき補修資材や補修工具も、建築用および土木用に分けることができることから、補修キット３として、建築用の補修資材および補修工具を収納ボックス１内に収納した補修キットＡタイプと、土木用の補修資材および補修工具を収納ボックス１内に収納した補修キットＢタイプとが予め用意されている。
【００１７】
そして、図３に示すように、学校、病院、体育館、役所、避難所などの公共施設５から受付センター６に対して設置リクエストが発信され、受付センター６によりこのリクエストが受け付けられると、受付センター６から有償にてリクエスト元である公共施設５に、所定の補修キット３が配送され、当該公共施設５の建築物に配送された補修キット３が設置されるようになっている。
【００１８】
ここで、公共施設５からの設置リクエストは、電話、ＦＡＸまたは電子メールなどの通信手段により発信され、当該公共施設５の住所、名称、電話・ＦＡＸ番号、担当者名、担当者の電子メールアドレスなどのリクエスト元情報に加え、補修キット３として上記した補修キットＡタイプ、Ｂタイプのいずれかを指定するキット指定が含まれている。
【００１９】
そして、受付センター６により、公共施設５からの設置リクエストが受け付けられると、指定された種類の補修キット３が、有償にてリクエスト元の公共施設５の住所に配送されて設置されるとともに、当該公共施設５に設置された補修キット３の設置期限の管理が受付センター６により行われる。このとき、設置期限は、補修キット３に含まれる主として補修資材の品質有効期間に基づき、例えば６か月〜１２か月程度に設定されるのが望ましく、設置期限が経過すれば、受付センター６により、設置場所である当該公共施設５の建築物内から補修キット３が回収される。
【００２０】
また、設置期限が経過する前に、公共施設５において補修キット３が利用され、いずれかの補修資材や補修工具の補充や交換が必要になれば、当該公共施設５から補充・交換リクエストが受付センター６に発信され、受付センター６によりこの補充・交換リクエストが受け付けられると、有償にてリクエストされた補充・交換用の補修資材、補修工具が受付センター６から当該公共施設５に配送される。
【００２１】
ところで、補修キットＡ，Ｂタイプの構成を簡単に説明すると、例えば建築用の補修キットＡタイプは、コンクリート建築物の建物部分のひび割れ補修、断面修復補修、止水用補修、養生などの補修作業に必要な補修資材、補修工具を含み、土木用の補修キットＢタイプは、コンクリート建築物の基礎部分のひび割れ補修、断面修復補修、止水用補修、養生などの補修作業に必要な補修資材、補修工具を含んでいる。ここで、補修資材や補修工具は、補修作業に適した必要最小限のものを選定するのが望ましい。
【００２２】
建築用の補修キットＡタイプの補修資材として、例えば図４に示すように、穴埋め材、ひび埋め材、変成シリコン系シーリング材、防水シート、接着剤、シール材、パテが収納ボックス１内に収納され、補修工具として、ゴムベラ、ステンレスパレット、中塗鏝、ハガネＹ型皮スキ、刷毛、カッター（替刃付き）、ステンレス鋏、ハンマー、カートリッジガン、注入容器、計量カップ、養生テープ、マスキングテープ、拭き取り材、ポリエチレン手袋、軍手、防塵マスク、ウエス、養生シート、ゴミ袋、ブルーシートが収納ボックス１内に収納され、補修キットＡタイプが構成されている。
【００２３】
土木用の補修キットＢタイプの補修資材として、例えば図５に示すように、穴埋め材、止水モルタル、変成シリコン系シーリング材、防水シート、エポキシ樹脂系接着剤、シリコーン樹脂系パッチング材、シリコーンゴムテープが収納ボックス１内に収納され、補修工具として、補修キットＡタイプと同様のものが収納ボックス１内に収納され、補修キットＢタイプが構成されている。ここで、補修工具は、補修キットＡ，Ｂタイプの共通化されていて、受付センター６側における補修工具の管理業務の容易化が図られている。なお、補修キットＡ，Ｂタイプの補修資材および補修工具は、上記した者に限るものではない。
【００２４】
さらに、補修キットＡ，Ｂタイプそれぞれの収納ボックス１には、収納している複数の補修資材および複数の補修工具の使い方、補修作業の手順などを詳しく見易く記載した取扱説明書を、取扱案内手段として収納しておくのが望ましい。こうすることで、補修専門の作業者以外の素人でも補修作業を簡単に行うことが可能になり、素人の作業者が収納ボックス１を補修作業の現場に運搬し、取扱説明書を見ながら補修作業を行うことができる。
【００２５】
次に、受付センター６におけるリクエストの受け付けからキット配送までの手順について、図６のフローチャートを参照して説明する。
【００２６】
いま、受付センター６により、公共施設５からの設置リクエストがあるかどうかの判定が行われ（ステップＳ１）、この判定がＮＯであればリクエストがあってステップＳ１をＹＥＳで通過するまでこの判定が繰り返され、公共施設５からの設置リクエストがあれば（ステップＳ１のＹＥＳ）、受付センター６により、リクエスト元の住所、名称、電話・ＦＡＸ番号、担当者名、担当者の電子メールアドレスなどのリクエスト元情報の登録が行されるとともに、リクエストにより指定された補修キット３の種類（補修キットＡタイプか補修キットＢタイプか）の登録、および設置期限の登録及び管理がなされる（ステップＳ２）。
【００２７】
そして、受付センター６により、有償にてリクエストされた指定の補修キット３が当該リクエスト元である公共施設５に配送され（ステップＳ３）、その後、補修キット３内の補修資材や補修工具の補充や交換のリクエストがあるか否かの判定がなされ（ステップＳ４）、この判定結果がＹＥＳであれば、有償にてリクエストされた補修資材、補修工具が当該リクエスト元である公共施設５に配送される（ステップＳ５）。
【００２８】
さらに、受付センター６により、当該公共施設５に設置された補修キット３の設置期限が経過したか否かの判定がなされ（ステップＳ６）、この判定結果がＮＯであればスタートに戻り、ステップＳ６の判定結果がＹＥＳであれば、設置中の補修キット３の設置期限がすでに経過していることから当該補修キット３が回収され（ステップＳ７）、その後スタートに戻る。
【００２９】
なお、当該公共施設５から設置の更新リクエストがある場合には、上記したステップＳ７の処理を経てスタートに戻り、再びステップＳ１をＹＥＳで通過することにより、新たな補修キット３が再度有償にて配送されて設置されることになる。
【００３０】
したがって、上記した実施形態によれば、可搬型収納ボックス１内に、補修作業に使用するために予め選定した複数の補修資材および補修工具を収納して補修キット３を構成しておき、受付センター６が公共施設５からの設置リクエストを受け付けると、受付センター６から有償にて当該公共施設の建築物に補修キット３を配送して当該建築物内に設置するようにしたため、専門作業者以外の者でも必要なときに建築物の簡単な補修作業を簡単に行うことが可能になる。
【００３１】
特に、災害被害に会われた方が避難する避難所において、被害に会われた方が建築物の補修作業を至急行いたいと思ったときに、避難所において被害に会われた方が簡単に補修作業を行うことができ、非常に実用的で有用である。
【００３２】
なお、本考案は上記した実施形態に限定されるものではなく、その趣旨を逸脱しない限りにおいて上述したもの以外に種々の変更を行うことが可能である。
【００３３】
例えば、上記した実施形態では、公共施設５からの設置リクエストに応じて受付センター６から所定の補修キット３を有償にて配送する例について説明したが、公共施設５に限らず、一般企業や個人事業者などの民間施設から設置リクエストがあった場合にも対応するために、民間施設の建築物の補修作業に適した補修資材や補修工具を収納した補修キット３を用意しておき、受付センター６からリクエストに応じて補修キットを有償にて配送するようにしてもよい。
【００３４】
また、補修対象である建築物は、建物に限らず、橋やトンネルなどのコンクリート製の構造物であってもよい。
【００３５】
また、建築物はコンクリート建築物に限るものではなく、木造建築物の補修作業にも対応できるよう、補修資材や補修工具を選定して木造建築物の補修キットを構成してもよい。
【００３６】
また、収納ボックス１内に収納する取扱説明書に加えて、或いは取扱説明書に代えて、音声や映像により補修資材や工具の取り扱いや補修作業の手順を案内する取扱案内手段を収納するようにしてもよい。
【符号の説明】
【００３７】
１    …収納ボックス
３    …補修キット
５    …公共施設
６    …受付センター
【図１】
0003226211.tif 000003
【図２】
0003226211.tif 000004
【図３】
0003226211.tif 000005
【図４】
0003226211.tif 000006
【図５】
0003226211.tif 000007
【図６】
0003226211.tif 000008